(57)【要約】【課題】リモコンの近くに人がいない場合の音声案内の音量が、リモコンの近くに人がいる場合と同じため、使い勝手がよくなかった。【解決手段】台所リモコン２は、人の在／不在を検知する人検知手段８と、音声出力手段１０と、スピーカー１１と、人検知手段８が人を検知している場合の音声出力手段１０の出力信号の大きさを設定する音量設定手段７と、音量変更手段９とを有し、人検知手段８が人を検知している場合は、音量設定手段７で設定された音量で音声案内を行い、人検知手段８が人を検知していない場合は、音量設定手段７で設定された音量に関わらず音量変更手段９により音声案内音量を変更することで、使い勝手や安全性を維持しつつ、音声案内によるさらなるユニバーサルデザインを向上させることができる。【選択図】図１
2012097954.tif 000002
【特許請求の範囲】
【請求項１】
給湯機本体と台所リモコンとふろリモコンとを備え、前記台所リモコンは、人の在／不在を検知する人検知手段と、音声出力手段と、前記音声出力手段の信号を音に変えるスピーカーと、前記人検知手段が人を検知している場合の前記音声出力手段の出力信号の大きさを設定する音量設定手段と、音量変更手段とを有し、前記人検知手段が人を検知している場合は、前記音量設定手段で設定された音量で音声案内を行い、前記人検知手段が人を検知していない場合は、前記音量設定手段で設定された音量に関わらず、前記音量変更手段により音声案内音量を変更することを特徴とする給湯機。
【請求項２】
前記人検知手段が人を検知していない場合は、前記音量設定手段で設定された音量に関わらず音量変更手段により音声案内音量を大きく変更することを特徴とする請求項１に記載の給湯機。
【請求項３】
前記人検知手段が人を検知していない場合は、前記音量設定手段で設定された音量に関わらず音量変更手段により音声案内音量を小さくもしくは０に変更することを特徴とする請求項１に記載の給湯機。
【請求項４】
給湯機本体と台所リモコンとふろリモコンとを備え、前記台所リモコンは、人の在／不在を検知する人検知手段と、音声出力手段と、前記音声出力手段の信号を音に変えるスピーカーと、前記人検知手段が人を検知している場合の前記音声出力手段の出力信号の大きさを設定する在室時音量設定手段と、前記人検知手段が人を検知していない場合の前記音声出力手段の出力信号の大きさを設定する不在時音量設定手段とを有し、人の在室時と不在時の音声案内音量を個別に設定可能としたことを特徴とする給湯機。
【発明の詳細な説明】
【技術分野】
【０００１】
本発明は、給湯機に関連し、特に、音声案内に関するものである。
【背景技術】
【０００２】
従来、この種の給湯機では、だれもが使いやすいように（ユニバーサルデザインと呼ばれる）、操作や給湯機の状態を音声案内するものがあった（例えば、特許文献１、特許文献２、特許文献３参照）。
【先行技術文献】
【特許文献】
【０００３】
【特許文献１】特開２００６−２９２１９２号公報
【特許文献２】特開２００５−２３３４４２号公報
【特許文献３】特開２００９−１１５４０６号公報
【発明の概要】
【発明が解決しようとする課題】
【０００４】
しかしながら、前記従来の構成では、リモコンで設定された音量で、音声案内が行われる。台所とふろの両方にリモコンを備えた給湯機であれば、それぞれのリモコンで設定された音声案内音量で音声案内が行われる。リモコンの操作に対する音声案内であれば、操作したリモコンの前に人がいるので、問題はない。
【０００５】
しかし、給湯機の状態を音声案内する場面で、リモコンの近くに人がいない場合は、リモコンで設定された音量で音声案内するのが使用者の思いと違う場合が２パターンある。
【０００６】
一つ目は、リモコンの案内が聞こえない場合である。例えば、おふろの沸きあがり報知のため、台所リモコンから「おふろが沸きました」と案内するが、台所リモコンの近くにいなかったため聞き逃すことがある。また、入浴中の人から、台所の人に用事（例えば、石鹸を持ってきてほしいなど）があった場合、ふろリモコンから通話や呼び出し機能を使って、台所リモコンで呼び出し音を鳴らす。この音を聞き逃したりする。
【０００７】
二つ目には、リモコンの音声案内がわずらわしく感じる場合である。例えば、ふろ自動の沸きあがり報知や、高温注意報知がある。具体的な例で説明すると、父親の帰宅が遅く、父親を除いて家族全員の入浴が終わり、節約のため、給湯機のふろ自動機能を切ったとする。
【０００８】
深夜になって帰宅した父親が、入浴するためにふろ自動機能を「入」にすると、給湯機は、浴槽の湯量・湯温を設定値になるように動作し、湯量・湯温が設定値になると、沸きあがり報知のため、台所リモコンから「おふろが沸きました」と案内する。しかし、他の家族が寝静まっている時間にこのような音声案内を行うと、他の家族の安眠妨害となって、しまう。
【０００９】
また、入浴時、ふろリモコンで、給湯温度を６０℃に設定すると、安全のため、台所リモコンでも高温注意報知として「ピッピッピッ熱いお湯がでます。ご注意ください。」と報知する。この場合も、台所リモコンの近くに人がいて、湯を使う状況であれば必要であるが、他の家族が寝静まっている状況にこのような音声案内を行うと、他の家族の安眠妨害となってしまう。
【００１０】
使い勝手や、安全性を考慮した上記音声案内であるが、時と場合によっては、わずらわしい場面もあった。
【００１１】
以上のような、２パターンがあるが、家庭で生活パターンが一定しているようであれば、どちらのパターンにも当てはまらない場合もあるが、片方のパターンに当てはまる、または両方のパターンに当てはまることもある。
【００１２】
本発明は、前記従来の課題を解決するもので、使い勝手や安全性を維持しつつ、音声案内によるさらなるユニバーサルデザインを向上させた給湯機を提供することを目的とする。
【課題を解決するための手段】
【００１３】
前記従来の課題を解決するために、本発明の給湯機は、給湯機本体と台所リモコンとふろリモコンとを備え、前記台所リモコンは、人の在／不在を検知する人検知手段と、音声出力手段と、前記音声出力手段の信号を音に変えるスピーカーと、前記人検知手段が人を検知している場合の前記音声出力手段の出力信号の大きさを設定する音量設定手段と、音量変更手段とを有し、前記人検知手段が人を検知している場合は、前記音量設定手段で設定された音量で音声案内を行い、前記人検知手段が人を検知していない場合は、前記音量設定手段で設定された音量に関わらず音量変更手段により音声案内音量を変更することを特徴としたものである。
【００１４】
また、本発明の給湯機は、給湯機本体と台所リモコンとふろリモコンとを備え、前記台所リモコンは、人の在／不在を検知する人検知手段と、音声出力手段と、前記音声出力手段の信号を音に変えるスピーカーと、前記人検知手段が人を検知している場合の前記音声出力手段の出力信号の大きさを設定する在室時音量設定手段と、前記人検知手段が人を検知していない場合の前記音声出力手段の出力信号の大きさを設定する不在時音量設定手段とを有し、人の在室時と不在時の音声案内音量を個別に設定可能としたことを特徴としたものである。
【００１５】
これによって、台所リモコンの近くに人を検知しない場合、音声案内の音量を変更する給湯機を提供できる。
【発明の効果】
【００１６】
本発明によれば、台所リモコンの近くに人を検知しない場合は、音声案内の音量を変更することで、使い勝手や安全性を維持しつつ、音声案内によるさらなるユニバーサルデザインを向上させた給湯機を提供することができる。
【図面の簡単な説明】
【００１７】
【図１】本発明の実施の形態１における給湯機のブロック図
【図２】同給湯機の音声案内のフローチャート
【図３】本発明の実施の形態２における給湯機の音声案内のフローチャート
【図４】本発明の実施の形態３における給湯機の音声案内のフローチャート
【図５】本発明の実施の形態４における給湯機のブロック図
【図６】（ａ）本発明の実施の形態４における給湯機の台所リモコン外観図（ｂ）同給湯機の台所リモコンの表示を示す図（ｃ）同給湯機の他の台所リモコンの表示を示す図
【図７】本発明の実施の形態４における給湯機の音声案内のフローチャート
【発明を実施するための形態】
【００１８】
第１の発明は、給湯機本体と台所リモコンとふろリモコンとを備え、前記台所リモコンは、人の在／不在を検知する人検知手段と、音声出力手段と、前記音声出力手段の信号を
音に変えるスピーカーと、前記人検知手段が人を検知している場合の前記音声出力手段の出力信号の大きさを設定する音量設定手段と、音量変更手段とを有し、前記人検知手段が人を検知している場合は、前記音量設定手段で設定された音量で音声案内を行い、前記人検知手段が人を検知していない場合は、前記音量設定手段で設定された音量に関わらず音量変更手段により音声案内音量を変更することを特徴とすることにより、台所リモコンの近くに人がいない場合、音声案内の音量を変更することができるので、使い勝手や安全性を犠牲にせず、音声案内によるさらなるユニバーサルデザインを向上させることができる。
【００１９】
第２の発明は、特に、第１の発明において、人検知手段が人を検知していない場合は、前記音量設定手段で設定された音量に関わらず音量変更手段により音声案内音量を大きく変更することを特徴とすることにより、台所リモコンの近くにいなくても、音声案内を聞くことができるので、沸きあげ完了報知等の音声案内を聞き逃すことが少なくなる。
【００２０】
第３の発明は、特に、第１の発明において、前記人検知手段が人を検知していない場合は、前記音量設定手段で設定された音量に関わらず音量変更手段により音声案内音量を小さくもしくは０に変更することを特徴とすることにより、台所リモコンの近くに人がいなくて、音声案内する必要がない場合に、音声案内をわずらわしく感じることがなくなる。
【００２１】
第４の発明は、給湯機本体と台所リモコンとふろリモコンとを備え、前記台所リモコンは、人の在／不在を検知する人検知手段と、音声出力手段と、前記音声出力手段の信号を音に変えるスピーカーと、前記人検知手段が人を検知している場合の前記音声出力手段の出力信号の大きさを設定する在室時音量設定手段と、前記人検知手段が人を検知していない場合の前記音声出力手段の出力信号の大きさを設定する不在時音量設定手段とを有し、人の在室時と不在時の音声案内音量を個別に設定可能としたことを特徴とすることにより、各家庭の事情や生活パターンに合わせて、台所リモコンの近くに人がいない場合の音声案内の音量を設定できるので、給湯機を買った時から後に、生活パターンが変化しても、その都度、対応することができる。
【００２２】
以下、本発明の実施の形態について、図面を参照しながら説明する。なお、この実施の形態によって本発明が限定されるものではない。
【００２３】
（実施の形態１）
図１は、本発明の第１の実施の形態における給湯機のブロック図である。
【００２４】
図１において、給湯機本体１と台所リモコン２とふろリモコン３は、リモコンケーブルで接続されている。台所リモコン２には、給湯機本体１とふろリモコン３と通信を行う通信手段４があり、マイコン５と接続されている。また、表示手段６では、マイコン５からの信号により、使用者に対して表示を行う。
【００２５】
音量設定手段７で音声案内の音量が設定され、マイコン５に伝えられる。人検知手段８は、台所リモコン２近傍の人の在／不在を検知し、マイコン５に伝えると共に、音量変更手段９に伝える。音量変更手段９は、人検知手段８からの人の不在信号を受けたときに、マイコン５からの音声案内信号の音量を変更して、音声出力手段１０に伝える。音声出力手段１０はスピーカー１１を駆動する。
【００２６】
また、ふろリモコン３にも、台所リモコン２と同様の回路ブロックが存在するが、同様のブロックは、同じ符号を与え、説明も省略する。ふろリモコンでは、音量変更手段９が存在しない。
【００２７】
以上のように構成された給湯機について、図２を用いて、以下その動作、作用を説明する。
【００２８】
図２は、本発明の実施の形態１における給湯機の音声案内のフローチャートである。
【００２９】
まず、台所リモコン２で音声案内を行う場合、人検知手段８で人の在／不在を検知する。その結果、人を検知している場合は、図２のステップ１から、ステップ２に進む。ステップ２では、音声案内の音量は設定音量とする。この時の設定音量は、音量設定手段７で設定された音量である。
【００３０】
その次に、ステップ３で音声案内を開始する。音声案内は、マイコン５から音声案内音量が出力され、音量変更手段９では音声案内音量が変更されずに音声出力手段１０に伝えられ、音量設定手段７で設定された音量で音声が出力される。その信号がスピーカー１１に伝えられ、音が出る。
【００３１】
もし、人検知手段８で人を検知していない場合は、図２のステップ１で「Ｎ」側に進み、ステップ４に進む。ステップ４では、音声案内の音量を変更する。これは、図１の音量変更手段９で行われる。マイコン５から送られた音声案内音量を変更し、音声案内手段１８に伝える。音声案内手段１８は、変更された音量で音声の出力を行い、スピーカー１１から音が出る。
【００３２】
以上のように、本実施の形態においては、台所リモコン２に、人の在／不在を検知する人検知手段８と、音声出力手段１０と、人検知手段８が人を検知している場合の音声出力手段１０の出力信号の大きさを設定する音量設定手段７と、音量変更手段９とを有し、人検知手段８が人を検知している場合は、音量設定手段７で設定された音量で音声案内を行い、人検知手段８が人を検知していない場合は、音量設定手段７で設定された音量に関わらず音量変更手段９により音声案内音量を変更することができるので、人の在／不在に応じた最適な音声案内をすることができる。よって、使い勝手や安全性を維持しつつ、音声案内によるさらなるユニバーサルデザインを向上させることができる。
【００３３】
図３は、本発明の実施の形態２における給湯機の音声案内のフローチャートである。本発明の実施の形態２の構成は、実施の形態１の図１と同一であるので、省略する。
【００３４】
まず、台所リモコン２で音声案内を行う場合、人検知手段８で人の在／不在を検知する。その結果、人を検知している場合は、図３のステップ５から、ステップ６に進む。ステップ６では、音声案内の音量は設定音量とする。
【００３５】
この時の設定音量は、音量設定手段７で設定された音量である。その次に、ステップ７で音声案内を開始する。音声案内は、マイコン５から音声案内音量が出力され、音量変更手段９では音声案内音量が変更されずに音声出力手段１０に伝えられ、音量設定手段７で設定された音量で音声が出力される。その信号がスピーカー１１に伝えられ、音が出る。
【００３６】
もし、人検知手段８で人を検知していない場合は、図３のステップ５で「Ｎ」側に進み、ステップ８に進む。ステップ８では、音声案内の音量を最大音量に変更する。これは、図１の音量変更手段９で行われる。マイコン５から送られた音声案内音量を最大音量に変更し、音声案内手段１８に伝える。音声案内手段１８は、最大音量で音声の出力を行い、スピーカー１１から音が出る。
【００３７】
以上のように、本実施例の形態においては、人検知手段８が人を検知していない場合は、音量設定手段７で設定された音量に関わらず音量変更手段９により音声案内音量を最大
音量に変更することができるので、台所リモコンから離れた場所に人がいる場合でも、音声案内が聞き取りやすい。
【００３８】
図４は、本発明の実施の形態３における給湯機の音声案内のフローチャートである。本発明の実施の形態３の構成は、実施の形態１の図１と同一であるので、省略する。
【００３９】
まず、台所リモコン２で音声案内を行う場合、人検知手段８で人の在／不在を検知する。その結果、人を検知している場合は、図４のステップ９から、ステップ１０に進む。ステップ１０では、音声案内の音量は設定音量とする。この時の設定音量は、音量設定手段７で設定された音量である。
【００４０】
その次に、ステップ１１で音声案内を開始する。音声案内は、マイコン５から音声案内音量が出力され、音量変更手段９では音声案内音量が変更されずに音声出力手段１０に伝えられ、音量設定手段７で設定された音量で音声が出力される。その信号がスピーカー１１に伝えられ、音が出る。
【００４１】
もし、人検知手段８で人を検知していない場合は、図４のステップ９で「Ｎ」側に進み、ステップ１２に進む。ステップ１２では、音声案内の音量を０（ゼロ＝音声案内しない）に変更する。これは、図１の音量変更手段９で行われる。マイコン５から送られた音声案内音量を０に変更し、音声案内手段１８に伝える。音声案内手段１８は、音量０で音声の出力を行い（＝出力を行わないのと同一）、スピーカー１１からは音が出ない。
【００４２】
以上のように、本実施例の形態においては、人検知手段８が人を検知していない場合は、音量設定手段７で設定された音量に関わらず音量変更手段９により音声案内音量を０に変更することができるので、台所リモコン近傍に人がいないので音声案内をして欲しくない場合において、音声案内をしないので、音声案内がわずらわしくない。
【００４３】
また、この実施の形態では、ステップ１２で音量を０に変更したが、最小音量にしても同等の効果が得られる。
【００４４】
図５は、本発明の第４の実施の形態における給湯機のブロック図である。第１の実施の形態における給湯機のブロック図と同様のブロックは、同じ符号を付し、説明も省略する。よって、図１と図５の差異は、音量設定手段７が、在室時音量設定手段１２と不在時音量設定手段１３に変わっている。
【００４５】
図６（ａ）は、本発明の実施の形態４における給湯機の台所リモコン外観図、図６（ｂ）は、同給湯機の台所リモコンの表示を示す図、図６（ｃ）は、同給湯機の他の台所リモコンの表示を示す図である。
【００４６】
図６（ａ）における表示手段６に、図６（ｂ）、図６（ｃ）のような表示が行われる。メニュースイッチ１４を押すことにより、各種設定を行える画面表示になり、上三角スイッチ１５と下三角スイッチ１６で表示内容を選択し、確定スイッチ１７で確定する。図６（ｂ）は、在室時音量設定手段１２の音量を設定する画面表示である。
【００４７】
例では、音量は「中」に設定されている。また、図６（ｃ）は、不在時音量設定手段１３の音量を設定する画面表示である。例では、音量は「大」に設定されている。
【００４８】
図７は、本発明の実施の形態４における給湯機の音声案内のフローチャートである。
【００４９】
まず、台所リモコン２で音声案内を行う場合、人検知手段８で人の在／不在を検知する
。その結果、人を検知している場合は、図７のステップ１３から、ステップ１４に進む。ステップ１４では、音声案内の音量は在室時設定音量とする。この時の在室時設定音量は、在室時音量設定手段１２で設定された音量である。
【００５０】
その次に、ステップ１５で音声案内を開始する。音声案内は、マイコン５から在室時の音声案内音量が出力され、音声出力手段１０に伝えられ、在室時音量設定手段１２で設定された音量で音声が出力される。その信号がスピーカー１１に伝えられ、音が出る。
【００５１】
もし、人検知手段８で人を検知していない場合は、図７のステップ１３で「Ｎ」側に進み、ステップ１６に進む。ステップ１６では、不在時の音量設定を確認する。不在時音量設定手段１３で、音量が「大」に設定されていれば、ステップ１７に進み、案内音量を最大音量とする。
【００５２】
そして、ステップ１５で音声案内を開始する。音声案内は、マイコン５から不在時の音声案内音量（この場合、最大音量）が出力され、音声出力手段１０に伝えられ、不在時音量設定手段１３で設定された音量で音声が出力される。その信号がスピーカー１１に伝えられ、音が出る。
【００５３】
ステップ１６で不在時の音量設定が大ではない場合、ステップ１８に進む。ステップ１８で不在時の音量設定を確認する。不在時音量設定手段１３で、音量が「案内しない」に設定されていれば、ステップ１９に進み、案内音量を０とする。
【００５４】
そして、ステップ１５で音声案内を開始（この場合、案内音量が０なので、音声案内をしないと同一）する。音声案内は、マイコン５から不在時の音声案内音量（この場合、音量０）が出力され、音声出力手段１０に伝えられ、不在時音量設定手段１３で設定された音量で音声が出力される。その信号がスピーカー１１に伝えられるが、音量が０なので音は出ない。
【００５５】
ステップ１８で不在時の音量設定を確認し、不在時音量設定手段１３で、音量が「在室時の案内音量と同じ」に設定されていれば、ステップ２０に進み、在室時の案内音量と同じに設定する（この例では、在室時の案内音量は「中」）。
【００５６】
そして、ステップ１５で音声案内を開始する。音声案内は、マイコン５から在室時の音声案内音量（この場合、「中」）が出力され、音声出力手段１０に伝えられ、不在時音量設定手段１３で設定された音量で音声が出力される。その信号がスピーカー１１に伝えられ、音が出る。
【００５７】
以上のように、本実施例の形態においては、人検知手段８が人を検知している場合と、人を検知していない場合の両方の音声案内音量を、それぞれ別個に、在室時音量設定手段１２と不在時音量設定手段１３で設定できるので、台所リモコン近傍に人がいないので、音声案内を大きくしたい場合や、逆に音声案内をして欲しくない場合など、個々の場面で設定することが可能となる。よって、使い勝手や安全性を維持しつつ、音声案内によるさらなるユニバーサルデザインを向上させることができる。
【００５８】
なお、人検知手段８は、人の赤外線を検知する赤外検出器が一般的であることは言うまでもない。
【００５９】
なお、人検知手段８に、赤外線検出器と照度センサーを組み合わせ、赤外線検出器が人の赤外線を検出しないで、なおかつ、照度センサーも、人が活動する明るさよりも暗いことを検出した場合においてのみ、人不在と判定するようにすれば、確実に、夜で人が台所
リモコン近傍にいないと判定することができる。
【産業上の利用可能性】
【００６０】
以上のように、本発明にかかる給湯機は、使い勝手や安全性を犠牲にせず、音声案内によるさらなるユニバーサルデザインを向上させることができるので、人が不在の時にも音声案内を必要とする機器に応用することができる。
【符号の説明】
【００６１】
１  給湯機本体
２  台所リモコン
３  ふろリモコン
７  音量設定手段
８  人検知手段
９  音量変更手段
１０  音声出力手段
１１  スピーカー
１２  在室時音量設定手段
１３  不在時音量設定手段
【図１】
2012097954.tif 000003
【図２】
2012097954.tif 000004
【図３】
2012097954.tif 000005
【図４】
2012097954.tif 000006
【図５】
2012097954.tif 000007
【図６】
2012097954.tif 000008
【図７】
2012097954.tif 000009